(57)【要約】【課題】  設定状態が認識しやすい電子楽器を提供する。【解決手段】  電子楽器は、それぞれに音色と当該音色を用いて発音される音域とが割り当てられる複数の発音パートによる楽音を生成する楽音生成手段と、前記発音パートの情報を表示する表示領域を有する表示手段と、前記複数の発音パートのそれぞれについて、発音状態と消音状態とを切り替える切り替え手段と、前記切り替え手段によって、発音状態とされた発音パートに応じて、前記表示領域を分割する分割手段と、前記分割された表示領域に、前記発音状態とされた発音パートの情報を表示する表示制御手段とを有する。【選択図】  図２
2013152395.tif 000002
【特許請求の範囲】
【請求項１】
それぞれに音色と当該音色を用いて発音される音域とが割り当てられる複数の発音パートによる楽音を生成する楽音生成手段と、
前記発音パートの情報を表示する表示領域を有する表示手段と、
前記複数の発音パートのそれぞれについて、発音状態と消音状態とを切り替える切り替え手段と、
前記切り替え手段によって、発音状態とされた発音パートに応じて、前記表示領域を分割する分割手段と、
前記分割された表示領域に、前記発音状態とされた発音パートの情報を表示する表示制御手段と
を有する電子楽器。
【請求項２】
前記分割手段は、前記発音状態とされた発音パートの音域に基づき、前記表示手段の表示領域を分割する位置を決定する請求項１記載の電子楽器。
【請求項３】
それぞれに音色と当該音色を用いて発音される音域とが割り当てられる複数の発音パートによる楽音を生成する楽音生成手順と、
前記発音パートの情報を表示領域を有する表示手段に表示する表示手順と、
前記複数の発音パートのそれぞれについて、発音状態と消音状態とを切り替える切り替え手順と、
前記切り替え手順によって、発音状態とされた発音パートに応じて、前記表示領域を分割する分割手順と、
前記分割された表示領域に、前記発音状態とされた発音パートの情報を表示する表示制御手順と
をコンピュータに実行させるためのプログラム。
【請求項４】
前記分割手順は、前記発音状態とされた発音パートの音域に基づき、前記表示領域を分割する位置を決定する請求項３記載のプログラム。
【発明の詳細な説明】
【技術分野】
【０００１】
本発明は、電子楽器及びプログラムに関する。
【背景技術】
【０００２】
従来、電子ピアノやキーボードなどの電子楽器では、デュアル、またはレイヤーと呼ばれる、複数の音色を重ねて鳴らす機能が知られている。レイヤー機能をオンにした場合、メインパートの音色とレイヤーパートの音色による楽音が同時に発音される。
【０００３】
また、スプリットと呼ばれる、鍵域を左右に分けて左右で別々の音色を鳴らす機能も知られている。スプリット機能では、一定位置をスプリットポイントとし、そのスプリットポイントより高い音高をライトパート（右側鍵域）、低い音高をレフトパート（左側鍵域）に設定する。そしてスプリット機能をオンにした場合、ライトパートが演奏されたときはライトパートの音色による楽音を発音し、レフトパートが演奏された場合にはレフトパートの音色による楽音を発音する。
【０００４】
さらに、レイヤー機能とスプリット機能の双方を備える電子楽器では、例えば、スプリット機能がオンになっている場合のライトパートに対してレイヤー機能をオンにして、当該ライトパートが演奏された場合に、メインパートの音色とレイヤーパートの音色による楽音を同時に発音することができる。
【０００５】
このような電子楽器では、各パート（メイン、レイヤー、レフトパート等）のオン／オフ状態や、各パートに設定されている音色等が電子楽器本体のメインパネル上に設置されるディスプレイ画面やＬＥＤ等に表示され、演奏をしないでも（実際に発音しないでも）、各種設定状態が確認できるようになっている（例えば、非特許文献１参照）。
【先行技術文献】
【非特許文献】
【０００６】
【非特許文献１】“Clavinova CVP-509/505/503/501  取扱説明書”、［online］、２００９年、ヤマハ株式会社、［平成２３年１２月7日検索］、インターネット＜URL：http://www2.yamaha.co.jp/manual/pdf/emi/japan/cla/cvp509_ja_om_d0.pdf＞
【発明の概要】
【発明が解決しようとする課題】
【０００７】
電子楽器では、演奏途中に設定の変更を行ったり、設定の確認を行ったりすることがあり、直感的に現在の設定状態等を確認できることが望まれている。
【０００８】
しかしながら、従来の電子楽器では、各パート等の設定状態が一覧表示されるので、１つ１つの情報が小さくなり、見づらい場合がある。また、各パートのオン／オフに関わらず、ディスプレイ画面上では常に全パートの情報が表示されるため、現在の設定では、どの音色が発音されるのか否かが、瞬時にはわかりづらいことがある。また、ディスプレイ画面上での表示位置と、実際の音の発音位置(鍵域)に関連性がないので、どの音色がどの鍵盤(域)で鳴るかを、ディスプレイ上の表示から直感的に把握することが難しい。
【０００９】
本発明の目的は電子楽器における設定状態を認識しやすくすることである。
【課題を解決するための手段】
【００１０】
本発明の一観点によれば、電子楽器は、それぞれに音色と当該音色を用いて発音される音域とが割り当てられる複数の発音パートによる楽音を生成する楽音生成手段と、前記発音パートの情報を表示する表示領域を有する表示手段と、前記複数の発音パートのそれぞれについて、発音状態と消音状態とを切り替える切り替え手段と、前記切り替え手段によって、発音状態とされた発音パートに応じて、前記表示領域を分割する分割手段と、前記分割された表示領域に、前記発音状態とされた発音パートの情報を表示する表示制御手段とを有する。
【発明の効果】
【００１１】
本発明によれば、設定状態が認識しやすい電子楽器を提供することができる。
【図面の簡単な説明】
【００１２】
【図１】本発明の実施例による電子楽器１００のハードウェア構成の一例を表すブロック図である。
【図２】図１のディスプレイ１４の画面上に表示される本発明の実施例によるホーム画面の一例を表す平面図である。
【図３】図２に示すホーム画面の画面分割の例を示す平面図である。
【図４】音色表示エリア３０の画面分割の例を表す平面図である。
【図５】スプリットポイントと画面の左右分割位置との連動を説明するための平面図である。
【図６】本発明の実施例によるタッチパネル操作処理（メイン処理）を表すフローチャートである。
【図７】図６のステップＳＡ４で実行される音色設定処理を表すフローチャートである。
【図８】図７のステップＳＢ７で実行される音色名表示部分割制御処理を表すフローチャートである。
【発明を実施するための形態】
【００１３】
図１は、本発明の実施例による電子楽器１００のハードウェア構成の一例を表すブロック図である。
【００１４】
電子楽器１００のバス６には、ＲＡＭ７、ＲＯＭ８、ＣＰＵ９、検出回路１１、表示回路１３、記憶装置１５、音源回路１８、通信インターフェイス（Ｉ／Ｆ）２１が接続される。
【００１５】
ＲＡＭ７は、再生バッファ等のバッファ領域、フラグ、レジスタ、各種パラメータ等を記憶するＣＰＵ９のワーキングエリアを有する。
【００１６】
ＲＯＭ８には、各種データファイル、各種パラメータ及び制御プログラム、又は本実施例を実現するためのプログラム等を記憶することができる。この場合、プログラム等を重ねて、記憶装置１５に記憶する必要は無い。
【００１７】
ＣＰＵ９は、ＲＯＭ８又は、記憶装置１５に記憶されている制御プログラム又は本実施例を実現するためのプログラム等に従い、演算又は装置の制御を行う。タイマ１０が、ＣＰＵ９に接続されており、基本クロック信号、割り込み処理タイミング等がＣＰＵ９に供給される。
【００１８】
ユーザは、検出回路１１に接続される設定操作子１２を用いて、各種入力及び設定、選択をすることができる。設定操作子１２は、例えば、スイッチ、パッド、フェーダ、スライダ、ロータリーエンコーダ、ジョイスティック、ジョグシャトル、文字入力用キーボード、マウス等、ユーザの入力に応じた信号を出力できるものならどのようなものでもよい。また、設定操作子１２は、カーソルスイッチ等の他の操作子を用いて操作するディスプレイ１４上に表示されるソフトスイッチ等でもよい。
【００１９】
タッチパネルは、ディスプレイ１４表面に設けられるタッチパネル操作面に対するユーザの押下操作を検出し、被操作位置の位置情報（例えば、ｘｙ座標）を出力する操作子である。本実施例では、このタッチパネルを設定操作子１２として用い、該タッチパネルから出力される位置情報と電子楽器１００が実行するコマンドが関連付けられている。なお、位置情報とコマンドの関連付けは、ディスプレイ１４に表示される情報に合わせてその都度変化する。なお、本実施例では、タッチ操作面及びディスプレイ１４の表示をあわせてタッチパネル（設定操作子１２）と呼ぶ。
【００２０】
表示回路１３は、ディスプレイ１４に接続され、各種情報をディスプレイ１４に表示することができる。ディスプレイ１４は、電子楽器１００の設定のための各種情報等を表示することができる。本実施例では、例えば、図２に示すホーム画面を表示する。
【００２１】
記憶装置１５は、ハードディスク、ＦＤ（フレキシブルディスク又はフロッピーディスク（登録商標））、ＣＤ（コンパクトディスク）、ＤＶＤ（デジタル多目的ディスク）、フラッシュメモリ等の半導体メモリ等の記憶媒体とその駆動装置の組み合わせの少なくとも１つで構成される。記憶媒体は、着脱可能であってもよいし、内蔵されていてもよい。記憶装置１５及び（または）ＲＯＭ８には、好ましくは複数の自動演奏データ（ソングデータ）及び自動伴奏データ（伴奏スタイルデータ）を記憶するとともに、本発明の各実施例を実現するためのプログラムや、その他の制御プログラムを記憶する。なお、本発明の各実施例を実現するためのプログラムや、その他の制御プログラムを記憶装置１５に記憶する場合は、これらをＲＯＭ８に合わせて記憶する必要はない。また、一部のプログラムのみを記憶装置１５に記憶し、その他のプログラムをＲＯＭ８に記憶するようにしてもよい。
【００２２】
音源回路１８は、例えば、記憶装置１５、ＲＯＭ８又はＲＡＭ７等に記録された自動伴奏データ、自動演奏データ又は演奏操作子（鍵盤）２２あるいは通信インターフェイス２１に接続された外部機器等から供給される演奏信号、ＭＩＤＩ信号、フレーズ波形データ等に応じて楽音信号を生成し、各種音楽的効果を付与して、ＤＡＣ２０を介して、サウンドシステム１９に供給する。ＤＡＣ２０は、供給されるデジタル形式の楽音信号をアナログ形式に変換し、サウンドシステム１９は、アンプ、スピーカを含み、ＤＡ変換された楽音信号を発音する。
【００２３】
通信インターフェイス２１は、ＵＳＢやＩＥＥＥ１３９４等の汎用近距離有線Ｉ／Ｆ、Ｅｔｈｅｒｎｅｔ（登録商標）等の汎用ネットワークＩ／Ｆ等の通信インターフェイス、ＭＩＤＩ  Ｉ／Ｆなどの汎用Ｉ／Ｆ、無線ＬＡＮやＢｌｕｅｔｏｏｔｈ（登録商標）等の汎用近距離無線Ｉ／Ｆ等の通信インターフェイス及び音楽専用無線通信インターフェイスのうち少なくとも１つで構成され、外部機器、サーバ等との通信が可能である。
【００２４】
演奏操作子(鍵盤等)２２は、検出回路１１に接続され、ユーザの演奏動作に従い、演奏情報（演奏データ）を供給する。演奏操作子２２は、ユーザの演奏を入力するための操作子であり、ユーザが操作した操作子に対応する音高で、該ユーザの操作子に対する操作開始タイミング及び終了タイミングをそれぞれキーオン及びキーオフ信号として入力する。また、ユーザの演奏操作に応じてベロシティ値等の各種パラメータを入力することが可能である。
【００２５】
なお、本実施例による電子楽器が楽器の形態ではなく、音源装置等である場合には、演奏操作子２２は省略することも可能である。その場合、通信インターフェイス２１に外部演奏操作子を接続して演奏操作子２２の代わりに用いることができる。また、ディスプレイ１４も通信インターフェイス２１に外部ディスプレイを接続することにより代替可能である。その他、各構成は必要に応じて適宜追加及び省略が可能である。
【００２６】
図２は、図１のディスプレイ１４の画面上に表示される本発明の実施例によるホーム画面の一例を表す平面図である。
【００２７】
電子楽器１００の電源を投入すると、図１のディスプレイ１４の画面上に図２に示すホーム画面が表示される。
【００２８】
電源投入時の初期状態において、ホーム画面には、例えば、中央に音色表示エリア３０が配置され、その左側に伴奏スタイル表示エリア３１、右側にソング表示エリア３２が配置される。画面下部には、さまざまな機能（楽譜表示、歌詞表示、トランスポーズ設定、ミキサー機能など）を実行するためのメニューアイコン３４が複数個配置されている。ユーザが各メニューアイコン３４にタッチすると、そのタッチしたメニューアイコン３４に対応付けられた機能に関連する画面（設定画面等）がディスプレイ１４全体に表示される。ディスプレイ１４の外側に配置されるＥＸＩＴボタン１２を押すと、機能関連画面が閉じて、図２に示すホーム画面に戻る。
【００２９】
音色表示エリア３０には、音色名表示部４０、発音鍵域表示部（４８Ｋ、４８Ｌ、４８Ｒ）及び各パートのオン／オフ切り替えスイッチであるオンオフボタン（メインパートオンオフボタン４４、レイヤーパートオンオフボタン４５、レフトパートオンオフボタン４６）が表示される。
【００３０】
本実施例の電子楽器１００では、メインパート（レイヤーモード時の第１の音色パート）、レイヤーパート（レイヤーモード時の第２の音色）及びレフトパート（スプリットモード（レフトパートオン）時の左側鍵域に対応する音色パート）が用意されており、それぞれを独立してオン（発音状態）、オフ（消音状態）することができる。
【００３１】
各音色パートは、少なくとも音色を特定するパラメータと当該音色を用いて発音される発音鍵域（音域）とを特定するパラメータにより、音色及び音域が指定され（割り当てられ）ている。例えば、図１の演奏操作子２２の特定音域を演奏すると、当該音域に割り当てられた発音パートの音色を用いて、音源回路１８（図１）により楽音が生成される。なお、メインパートとレイヤーパートは、レフトパートがオフの時は、全鍵域で発音され、レフトパートがオンの時（スプリットモード時）には、右側鍵域（スプリットポイントよりも高音域）で発音される。
【００３２】
音色名表示部４０では、各音色パートの情報が表示される。例えば、音色名、当該音色に対応する楽器の画像、音色を説明するためのテキスト等が表示される。各パートの音色表示領域（４１、４２、４３）にタッチすると、当該パートの音色を選択するための画面などの設定画面が表示され、音色等を変更することが可能となる。
【００３３】
音色名表示部４０は、オン（発音状態）になっているパート数に応じて分割され、現在どのパートがオンであるかが簡単に視認できるようになっている。例えば、全てのパートがオンである場合には、音色表示エリア３０の右側領域は上下に分割されて、上側領域にはレイヤーモードにおけるメイン音色の情報を表示するメイン領域４１が配置され、下側領域にはレイヤー音色の情報を表示するレイヤー領域４２が配置される。また、音色表示エリア３０の左側領域には、スプリットモードにおける左側鍵域の音色（レフト音色）の情報を表示するレフト領域４３が配置される。なお、音色表示エリア３０の画面分割については、図４を参照して後述する。
【００３４】
発音鍵域表示部（４８Ｋ、４８Ｌ、４８Ｒ）は、鍵盤画像４８Ｋ、左側鍵域表示部４８Ｌ及び右側鍵域表示部４８Ｒを含んで構成される。なお、本明細書では、鍵盤画像４８Ｋ、左側鍵域表示部４８Ｌ及び右側鍵域表示部４８Ｒをあわせて発音鍵域表示部４８と呼ぶ。発音鍵域表示部４８は、音色名表示部４０の下に配置され、電子楽器１００の鍵数と同じ鍵数の鍵盤画像４８Ｋとその上に当該鍵盤において、左側鍵域を示す左側鍵域表示部４８Ｌ（図中網掛けで示すバー）、及び右側鍵域を示す右側鍵域表示部４８Ｒが表示される。左側鍵域表示部４８Ｌと右側鍵域表示部４８Ｒの境目がスプリットポイントである。
【００３５】
レフトパートがオンのときには、音色名表示部４０も左右に分割され、おおよそのスプリットポイントを識別可能であるが、発音鍵域表示部４８で詳細な発音鍵域及びスプリットポイントを表示している。
【００３６】
ユーザが、発音鍵域表示部４８にタッチすると、発音鍵域（スプリットポイント）を設定する画面が開き、発音鍵域（スプリットポイント）の設定等を行うことができる。なお、鍵盤画像４８Ｋにタッチすることで、タッチした場所をスプリットポイントとして設定するようにしても良いし、また、タッチしながら演奏操作子２２（図１）を操作することで、当該タッチした場所をスプリットポイントとして設定するようにしても良い。
【００３７】
各パートオンオフボタン（メインパートオンオフボタン４４、レイヤーパートオンオフボタン４５、レフトパートオンオフボタン４６）は、各音色パートのオン／オフを切り替えるためのソフトウェアスイッチである。このボタンにタッチすることで各パートのオン／オフが交互に切り替わる。なお、パートオンオフボタン（メインパートオンオフボタン４４、レイヤーパートオンオフボタン４５、レフトパートオンオフボタン４６）は、タッチパネル画面上ではなく、メインパネル上に物理ボタンとして用意しても良い。
【００３８】
図２に示す初期状態では、伴奏スタイル表示エリア３１には、現在設定されている伴奏スタイルの名称、コード名、再生・停止ボタン等の基本的な情報及び操作ボタン等が表示される。また、伴奏スタイル表示エリア３１内に、当該エリアの表示領域を拡大するための拡大ボタン３３Ｌが表示されている。
【００３９】
ユーザが、伴奏スタイル表示エリア３１内の拡大ボタン３３Ｌにタッチすると、図３（Ａ）に示すように、伴奏スタイル表示エリア３１の表示領域が画面中央よりに拡大される。この時、ソング表示エリア３２は非表示状態となり、音色表示エリア３０の表示位置が右側に移動する。なお、音色表示エリア３０の表示サイズは変更しない。
【００４０】
伴奏スタイル表示エリア３１が拡大されると、非拡大時（図２に示す状態）で表示される情報に加えて、伴奏スタイルのセクション切り替えボタン（イントロ、フィルイン、エンディング等）等のさらに詳細な設定及び操作を行うためのボタンが複数表示されるようになる。また、拡大時には、当該エリアの表示領域を縮小する（元の状態に戻す）ための縮小ボタン３３Ｓが表示され、ユーザが当該ボタン３３Ｓにタッチすることにより、画面は図２に示す状態に戻る。
【００４１】
なお、拡大ボタン３３Ｌにタッチする以外にも、本体パネル上の物理ボタンであるスタイルボタンを押したり、伴奏スタイルを再生させたりした場合に、自動的にこの図３（Ａ）に示す伴奏スタイル表示エリア３１が拡大された画面になるようにしても良い。
【００４２】
図２に示す初期状態では、ソング表示エリア３２には、現在のソング名、再生位置、録音ボタン、再生・停止ボタン等の基本的な情報及び操作ボタン等が表示される。また、ソング表示エリア３２内に、当該エリアの表示領域を拡大するための拡大ボタン３３Ｌが表示されている。
【００４３】
ユーザが、ソング表示エリア３２内の拡大ボタン３３Ｌにタッチすると、図３（Ｂ）に示すように、ソング表示エリア３２の表示領域が画面中央よりに拡大される。この時、伴奏スタイル表示エリア３１は非表示状態となり、音色表示エリア３０の表示位置が左側に移動する。なお、音色表示エリア３０の表示サイズは変更しない。
【００４４】
ソング表示エリア３２が拡大されると、非拡大時（図２に示す状態）で表示される情報に加えて、ガイド機能のオンオフボタン、ガイドパート選択ボタン、早送り・巻き戻しボタン、リピート設定ボタン等のさらに詳細な設定及び操作を行うためのボタンが複数表示されるようになる。また、拡大時には、当該エリアの表示領域を縮小する（元の状態に戻す）ための縮小ボタン３３Ｓが表示され、ユーザが当該ボタン３３Ｓにタッチすることにより、画面は図２に示す状態に戻る。
【００４５】
なお、拡大ボタン３３Ｌにタッチする以外にも、本体パネル上の物理ボタンであるソングボタンを押したり、ソングを再生させたりした場合に、自動的にこの図３（Ｂ）に示すソング表示エリア３２が拡大された画面になるようにしても良い。
【００４６】
図２の音色表示エリア３０が中央に表示される場合、図３（Ａ）のように伴奏スタイル表示エリア３１の表示領域が拡大された場合、及び図３（Ｂ）のようにソング表示エリア３２の表示領域が拡大された場合のいずれにおいても、音色表示エリア３０の表示サイズは変更されないので、ホーム画面の状態によって、音色表示エリア３０内の情報の視認性に変わりはなく、ホーム画面が表示されている場合には、常に同じ状態で各音色パートの設定状態等を確認する事が可能となる。
【００４７】
図４は、音色表示エリア３０の画面分割の例を表す平面図である。図中、オンオフボタンがオン状態である場合には実線で表し、オフ状態を破線で表す。
【００４８】
図４（Ａ）は、メインパートのみがオン（発音状態）の場合の画面分割例である。メインパートのみがオンであるので、メインパートオンオフボタン４４のみがオン状態をあらわす表示態様（実線）で表示され、レイヤーパートオンオフボタン４５及びレフトパートオンオフボタン４６はオフ状態を表す表示態様（破線）で表示されている。
【００４９】
図４（Ａ）に示すように、レフトパート及びレイヤーパートがオフ（消音状態）で、メインパートがオン（発音状態）である場合は、レフト領域及びレイヤー領域は表示されずに、メイン領域４１が音色名表示部４０の全域に表示される。また、左右分割が行われていないので、発音鍵域表示部４８には、左側鍵域表示部４８Ｌが表示されず、右側鍵域表示部４８Ｒが全域に表示されている。これにより、ユーザは全鍵域でメインパートの音色のみが発音されることを簡単に認識することができる。
【００５０】
図４（Ｂ）は、メインパートとレイヤーパートがオン（発音状態）で、レフトパートがオフ（消音状態）の場合の画面分割例である。
【００５１】
メインパートとレイヤーパートがオンで、レフトパートがオフなので、メインパートオンオフボタン４４及びレイヤーパートオンオフボタン４５がオン状態をあらわす表示態様（実線）で表示され、レフトパートオンオフボタン４６はオフ状態を表す表示態様（破線）で表示されている。
【００５２】
レフトパートがオフ（スプリットモードオフ）であるので、画面の左右分割は行われず、上下分割のみが行われている。上下に分割された音色名表示部４０の上側領域にはメイン領域４１が配置され、下側領域にはレイヤー領域４２が配置されている。上下分割の境界線は、例えば、メインパートとレイヤーパートの音量バランスに基づき、大音量のパートの領域を大きくし、小音量のパートの領域を小さく表示するように設定する。
【００５３】
また、左右分割が行われていないので、発音鍵域表示部４８には、左側鍵域表示部４８Ｌが表示されず、右側鍵域表示部４８Ｒが全域に表示されている。これにより、ユーザは全鍵域でメインパート及びレイヤーパートの音色が同時に発音されることを簡単に認識することができる。また、音量バランスにより上下境界線の位置を設定するので、メインパートとレイヤーパートの音量バランスも簡単に確認することが可能となる。
【００５４】
図４（Ｃ）は、メインパートとレフトパートがオン（発音状態）で、レイヤーパートがオフ（消音状態）の場合の画面分割例である。
【００５５】
メインパートとレフトパートがオンで、レイヤーパートがオフなので、メインパートオンオフボタン４４及びレフトパートオンオフボタン４６がオン状態をあらわす表示態様（実線）で表示され、レイヤーパートオンオフボタン４５はオフ状態を表す表示態様（破線）で表示されている。
【００５６】
レイヤーパートがオフであるので、画面の上下分割は行われず、左右分割のみが行われている。左右に分割された音色名表示部４０の右側領域にはメイン領域４１が配置され、左側領域にはレフト領域４３が配置されている。左右分割の境界線は、後述するように、スプリットポイントに基づき設定する。
【００５７】
鍵盤画像４８Ｋの上部に配置された左側領域表示部４８Ｌが鍵盤の左端（最低音側）から、スプリットポイントまで延在して、レフトパートの鍵域を示している。また、音色名表示部４０の左右分割位置も、これに対応して、音色名表示部４０の左側領域の幅が左側領域表示部４８Ｌの幅と同じ幅に設定される。
【００５８】
図４（Ｄ）は、レイヤーパートとレフトパートがオン（発音状態）で、メインパートがオフ（消音状態）の場合の画面分割例である。
【００５９】
レイヤーパートとレフトパートがオンで、メインパートがオフなので、レイヤーパートオンオフボタン４５及びレフトパートオンオフボタン４６がオン状態をあらわす表示態様（実線）で表示され、メインパートオンオフボタン４４はオフ状態を表す表示態様（破線）で表示されている。
【００６０】
メインパートがオフであるので、画面の上下分割は行われず、左右分割のみが行われている。左右に分割された音色名表示部４０の右側領域にはレイヤー領域４２が配置され、左側領域にはレフト領域４３が配置されている。左右分割の境界線は、図４(Ｃ)に示す例と同様に、スプリットポイントに基づき設定する。
【００６１】
なお、レイヤーパートのみがオンの場合には、図４（Ａ）に示すメインパートのみがオンの状態と同様に、レイヤー領域４２が音色名表示部４０の全面に表示される。
【００６２】
また、レフトパートは、常に左側鍵域でのみ発音されるので、レフトパートのみがオンの場合にも、スプリットポイントにあわせて画面左側に表示され、図２に示す初期状態（すべてのパートがオンの状態）又は図４（Ｃ）に示すメインパートとレフトパートがオンの状態と同様の分割態様で表示される。なお、この時、メインパート４１（及びレイヤーパート４２）には「Ｎｏ  Ｖｏｉｃｅ」等の消音状態であることを示す表示がなされる。
【００６３】
以上のように、画面を分割することにより、ユーザは現在オンになっているパートを視認できるとともに、パート同士の関係（同時に発音されるのか、左右に分かれて発音されるのか等）も視認することが可能となる。
【００６４】
本実施例では、レフトパートがオンの場合、図５（Ａ）及び（Ｂ）に示すように、スプリットポイントに合わせて（位置に連動して）、音色名表示部４０の左右分割位置が決定される。すなわち、左側鍵域で発音するレフトパートは画面の左側に表示され、右側鍵域で発音されるパート（メインパート及びレイヤーパート）は画面の右側に表示される。
【００６５】
例えば、図５（Ａ）に示すように、鍵域の中央付近にスプリットポイントが設定されている場合には、音色名表示部４０の左右分割位置は、スプリットポイントが設定されている位置と同じ鍵域の中央付近に設定される。
【００６６】
また、図５（Ｂ）に示すように、鍵域の左端付近にスプリットポイントが設定されている場合には、音色名表示部４０の左右分割位置は、スプリットポイントが設定されている位置と同じ鍵域の左端付近に設定される。
【００６７】
このように、本実施例では、スプリットポイントの設定位置に連動して音色名表示部４０の左右分割位置が決定されるので、音色名表示部４０における各パートの表示領域の左右方向の表示幅から、おおよその鍵域を知ることが可能となる。
【００６８】
なお、スプリットポイントの設定位置に完全に連動して音色名表示部４０の左右分割位置を決定すると、スプリットポイントの設定位置によっては、レフト領域４３の幅が狭くなりすぎて必要な情報を表示することもできなくなることが考えられる。そのため、レフト領域４３の幅が一定値以下になる場合には、スプリットポイントと画面の左右分割位置とを中止し、図５（Ｃ）に示すように、スプリットポイントと画面の左右分割位置とがずれて表示されるようにしても良い。
【００６９】
図６は、本発明の実施例によるタッチパネル操作処理（メイン処理）を表すフローチャートである。タッチパネル操作処理は、図１のＣＰＵ９で実行される処理であり、電子楽器１００のタッチパネルへの操作（タッチ）を検出すると開始される。
【００７０】
ステップＳＡ１で、タッチの検出に基づきタッチパネル操作処理を開始し、ステップＳＡ２では、現在図２に示すホーム画面の表示中であるか否かを判断する。ホーム画面の表示中である場合は、ＹＥＳの矢印で示すステップＳＡ３に進み、その他の画面の表示中である場合には、ＮＯの矢印で示すステップＳＡ８に進み、操作に応じた処理を行い、その後、ステップＳＡ９に進んで、タッチパネル操作処理を終了する。ステップＳＡ８における操作に応じた処理とは、後述するステップＳＡ４での処理及びステップＳＡ５〜ＳＡ７における処理を除く電子楽器１００における全ての設定、選択操作に応じた処理である。
【００７１】
ステップＳＡ３では、本処理を開始するきっかけとなったタッチの操作位置（タッチ検出座標）が、音色表示エリア３０内、伴奏スタイル表示エリア３１又はソング表示エリア３２内、メニューアイコン３４内のどこであるかを判断する。操作位置が音色表示エリア３０内である場合には、「Ａ」の矢印で示すステップＳＡ４に進み、図７に示す音色設定処理を行い、当該処理の終了後、ステップＳＡ９に進み、タッチパネル操作処理を終了する。操作位置が伴奏スタイル表示エリア３１又はソング表示エリア３２内である場合には、「Ｂ」の矢印で示すステップＳＡ５に進む。操作位置がメニューアイコン３４のいずれかである場合には、「Ｃ」の矢印で示すステップＳＡ８に進み、操作に応じた処理を行い、その後、ステップＳＡ９に進んで、タッチパネル操作処理を終了する。
【００７２】
ステップＳＡ５〜ステップＳＡ７は、図２及び図３を参照して説明したホーム画面における伴奏スタイル表示エリア３１又はソング表示エリア３２の拡大／縮小を行うための処理である。
【００７３】
ステップＳＡ５では、本処理を開始するきっかけとなったタッチが拡大／縮小操作（拡大ボタン３３Ｌ又は縮小ボタン３３Ｓの表示位置へのタッチ）であるか否かを判断する。拡大／縮小操作である場合には、ＹＥＳの矢印で示すステップＳＡ６に進み、拡大／縮小操作ではない場合にはＮＯの矢印で示すステップＳＡ８に進み、操作に応じた処理を行い、その後、ステップＳＡ９に進んで、タッチパネル操作処理を終了する。
【００７４】
ステップＳＡ６では、タッチ操作の指示に応じて被操作エリアを拡大又は縮小し、他のエリアの表示／非表示を切り替える。具体的には、図３（Ａ）を参照して説明したように、伴奏スタイル表示エリア３１内の拡大ボタン３３Ｌにタッチがあった場合には、伴奏スタイル表示エリア３１の表示領域を拡大し、ソング表示エリア３２を非表示にする。また、拡大された伴奏スタイル表示エリア３１内の縮小ボタン３３Ｓにタッチがあった場合には、伴奏スタイル表示エリア３１の表示領域を縮小し（初期値に戻し）、ソング表示エリア３２を再表示する。逆に、図３（Ｂ）を参照して説明したように、ソング表示エリア３２内の拡大ボタン３３Ｌにタッチがあった場合には、ソング表示エリア３２の表示領域を拡大し、伴奏スタイル表示エリア３１を非表示にする。また、拡大されたソング表示エリア３２内の縮小ボタン３３Ｓにタッチがあった場合には、ソング表示エリア３２の表示領域を縮小し（初期値に戻し）、伴奏スタイル表示エリア３１を再表示する。
【００７５】
ステップＳＡ７では、ステップＳＡ６での拡大縮小に基づき、音色表示エリア３０の表示位置を移動する。具体的には、伴奏スタイル表示エリア３１が拡大されたときは、図３（Ａ）に示すように右方向に移動させ、ソング表示エリア３２が拡大されたときは、図３（Ｂ）に示すように左右方向に移動させ、両エリアが縮小されたときには、図２に示すように中央部に移動させる。その後、ステップＳＡ９に進んで、タッチパネル操作処理を終了する。
【００７６】
図７は、図６のステップＳＡ４で実行される音色設定処理を表すフローチャートである。
【００７７】
ステップＳＢ１で、音色設定処理を開始し、ステップＳＡ２では、図６のタッチパネル操作処理を開始するきっかけとなったタッチの操作位置（タッチ検出座標）が、パートオンオフボタン（メインパートオンオフボタン４４、レイヤーパートオンオフボタン４５、レフトパートオンオフボタン４６）、音色名表示部４０内、発音鍵域表示部４８内のどこであるかを判断する。操作位置がパートオンオフボタンである場合には、「Ａ」の矢印で示すステップＳＢ５に進む。音色名表示部４０内である場合には、「Ｂ」の矢印で示すステップＳＢ３に進み、ディスプレイ１４（図１）に音色選択画面を表示した後、ステップＳＢ１１に進み、音色設定処理を終了して図６のステップＳＡ９に進む。発音鍵域表示部４８内である場合には、「Ｃ」の矢印で示すステップＳＢ４に進み、ディスプレイ１４（図１）に発音鍵域設定画面を表示した後、ステップＳＢ１１に進み、音色設定処理を終了して図６のステップＳＡ９に進む。
【００７８】
ステップＳＢ５では、操作を検出したパートオンオフボタン（メインパートオンオフボタン４４、レイヤーパートオンオフボタン４５、レフトパートオンオフボタン４６）の表示態様をオン状態からオフ状態又はオフ状態からオン状態に変更する。
【００７９】
ステップＳＢ６では、操作を検出したパートオンオフボタン（メインパートオンオフボタン４４、レイヤーパートオンオフボタン４５、レフトパートオンオフボタン４６）に対応する音色パートのオン／オフ（発音／消音）を切り替える。
【００８０】
ステップＳＢ７では、図８に示す音色名表示部分割制御処理を実行し、音色名表示部４０の表示を各音色パートのオン／オフ（発音／消音）状態に応じて分割する。その後、ステップＳＢ８に進む。ステップＳＢ８では、ステップＳＢ２で判断した操作がレフトパートオンオフボタン４６の操作であったか否かを判断する。レフトパートオンオフボタン４６の操作であった場合には、ＹＥＳの矢印で示すステップＳＢ９に進み、それ以外であった場合には、ＮＯの矢印で示すステップＳＢ１１に進み、音色設定処理を終了して図６のステップＳＡ９に進む。
【００８１】
ステップＳＢ９では、レフトパートオンオフボタン４６の操作に応じて、メインパート及び（又は）レイヤーパートの発音鍵域を変更する。レフトパートオンオフボタン４６をオンからオフに変更した場合（スプリットモードをオンからオフに変更した場合）には、メイン／レイヤーパートの発音鍵域は「右鍵域」から「全鍵域」に変更される。一方、レフトパートオンオフボタン４６をオフからオンに変更した場合（スプリットモードをオフからオンに変更した場合）には、メイン／レイヤーパートの発音鍵域は「全鍵域」から「右鍵域」に変更される。
【００８２】
ステップＳＢ１０では、ステップＳＢ９での発音鍵域の変更に応じて、発音鍵域表示部４８の表示を変更する。例えば、レフトパートがオンにされた場合には、設定されている発音鍵域表示部４８の左端からスプリットポイントまで左側鍵域表示部４８Ｌを表示する。また、例えば、レフトパートがオフにされた場合には、左側鍵域表示部４８Ｌを非表示にする。その後、ステップＳＢ１１に進み、音色設定処理を終了して図６のステップＳＡ９に進む。
【００８３】
図８は、図７のステップＳＢ７で実行される音色名表示部分割制御処理を表すフローチャートである。
【００８４】
ステップＳＣ１で音色名表示部分割制御処理を開始し、ステップＳＣ２では、現在レフトパートがオン（発音状態）であるか否かを判断する。レフトパートがオンである場合には、ＹＥＳの矢印で示すステップＳＣ３に進む。レフトパートがオフである場合には、ＮＯの矢印で示すステップＳＣ５に進み、音色名表示部４０の全体をメイン／レイヤー領域として設定し、ステップＳＣ６に進む。
【００８５】
ステップＳＣ３では、図５を参照して説明したように、設定されているスプリットポイントにあわせて音色名表示部４０を左右領域に分割する。分割処理は、例えば、全鍵域の３０％が左側鍵域に設定されている場合には、音色名表示部４０の左側３０％の領域をレフト領域４３とする。なお、上述したように、レフト領域４３が一定以下の幅（最低必要幅）となり、必要な情報を表示できない場合などには、スプリットポイントにかかわらず、当該最低必要幅で分割するようにしても良い。
【００８６】
ステップＳＣ４では、ステップＳＣ３で分割した左右領域の内、右側領域をメイン／レイヤー領域として設定し、左側領域をレフト領域４３として設定する。その後、ステップＳＣ６に進む。
【００８７】
ステップＳＣ６では、現在メインパート及びレイヤーパートのいずれか又は双方がオン（発音状態）であるか否かを判断する。メインパート及びレイヤーパートの双方がオンである場合には、ＹＥＳの矢印で示すステップＳＣ７に進む。メインパート及びレイヤーパートのいずれか一方のみがオンである場合及び両パートがオフである場合には、ＮＯの矢印で示すステップＳＣ８に進む。
【００８８】
ステップＳＣ７では、メインパートとレイヤーパートの音量バランス（比率）に応じて、音色名表示部４０の右側領域であるメイン／レイヤー領域の上下分割位置を決定し、メイン／レイヤー領域をメイン領域４１を上に配置し、レイヤー領域４２を下に配置して上下に分割する。また、メイン領域４１又はレイヤー領域４２が一定以下の高さ（最低必要高）となり、必要な情報を表示できない場合などには、音量バランスにかかわらず、当該最低必要高で上下分割するようにしても良い。
【００８９】
ステップＳＣ８では、各領域の位置とサイズに合わせて、オンの音色パートの音色画像及びテキスト等を表示する。なお、この時、レフトパートのみがオンである場合（ステップＳＣ６からＮＯの矢印に従ってステップＳＣ８に進んだ場合）には、右側のメイン／レイヤー領域には、「Ｎｏ  Ｖｏｉｃｅ」等の右側領域の音色パートがオフであることを知らせる表示を行う。その後、ステップＳＣ９に進み音色名表示部分割制御処理を終了して、図７のステップＳＢ８に進む。
【００９０】
以上、本発明の実施例によれば、音色パートの表示画面を分割することにより、ユーザは現在オンになっているパートを簡単に視認できるとともに、パート同士の関係（同時に発音されるのか、左右に分かれて発音されるのか等）も簡単に視認することができる。
【００９１】
また、伴奏スタイル表示エリア３１やソング表示エリア３２の表示領域が拡大された場合のいずれにおいても、音色表示エリア３０の表示サイズは変更されないので、ホーム画面の状態によって、音色表示エリア３０内の情報の視認性に変わりはなく、ホーム画面が表示されている場合には、常に同じ状態で各音色パートの設定状態等を確認する事が可能となる。
【００９２】
なお、上述の実施例では、音色名表示部４０を上下分割する際に、メイン領域４１を上に、レイヤー領域４２を下に配置したが、各パートのオクターブ又はトランスポーズ設定に応じて、音域の高いほうを上に、低いほうを下に表示するようにしてもよい。
【００９３】
また、音色名表示部４０の上下分割位置は、音量バランスではなく、各パートのオクターブ又はトランスポーズ設定に応じて、音域の高いほうを広く、低いほうを狭く表示するようにしてもよい。
【００９４】
また、音色名表示部４０を上下分割する際に、音量バランス等にかかわらず、上下分割線を固定し、メイン領域４１とレイヤー領域４２のサイズを一定としてもよい。この場合、各領域内に表示する音色画像（アイコン）等の表示サイズを音量に比例して拡大縮小することにより、音量バランスを表すようにしてもよい。また、その場合、レフトパートのメインパート及びレイヤーパートに対する音量バランスも、音色画像（アイコン）等の表示サイズを音量に比例して拡大縮小することにより表すようにして、全パートの音量バランスを視認できるようにしても良い。
【００９５】
また、上述の実施例では、スプリットモードにおける右側領域だけに複数音色パートを設定できるようにしたが、左側領域にもメインパートとレイヤーパートを設定できるようにして、４パートの音色パートを設定できるようにしても良い。この場合、左側領域も、上述した右側領域の上下分割方法に従い分割表示する。
【００９６】
また、スプリットモードにおいては、左右２分割に限らず、３以上の領域に分割しても良い。さらに、レイヤーモードにおいても、メインとレイヤーの２つの音色を同時発音させるだけではなく、３つ以上の音色を同時に発音させるようにしても良い、これらの場合には、音色パート数に応じて、横方向及び上下方向に画面を分割する。
【００９７】
また、上述の実施例では、鍵盤楽器を想定して説明したが、電子楽器１００は、鍵盤楽器に限らず、例えば、複数のパッドを有する電子打楽器などでも良い。この場合、パッド位置に対応して音色を表示するようにすれば良い。
【００９８】
なお、本発明の実施例は、電子楽器の形態に限らず実施例に対応するコンピュータプログラム等をインストールした市販のコンピュータ等によって、実施させるようにしてもよい。
【００９９】
その場合には、各実施例に対応するコンピュータプログラム等を、ＣＤ−ＲＯＭ等のコンピュータが読み込むことが出来る記憶媒体に記憶させた状態で、ユーザに提供してもよい。また、そのコンピュータ等が、ＬＡＮ、インターネット、電話回線等の通信ネットワークに接続されている場合には、通信ネットワークを介して、コンピュータプログラムや各種データ等をユーザに提供してもよい。
【０１００】
以上実施例に沿って本発明を説明したが、本発明はこれらに制限されるものではない。例えば、種々の変更、改良、組み合わせ等が可能なことは当業者に自明であろう。
【符号の説明】
【０１０１】
６…バス、７…ＲＡＭ、８…ＲＯＭ、９…ＣＰＵ、１０…タイマ、１１…検出回路、１２…設定操作子、１３…表示回路、１４…ディスプレイ、１５…記憶装置、１８…音源回路、１９…サウンドシステム、２０…ＤＡＣ、２１…通信Ｉ／Ｆ、２２…演奏操作子、３０…音色表示エリア、３１…伴奏スタイル表示エリア、３２…ソング表示エリア、３３…拡大／縮小ボタン、３４…メニューアイコン、４０…音色名表示部、４１…メイン領域、４２…レイヤー領域、４３…レフト領域、４４…メインパートオンオフボタン、４５…レイヤーパートオンオフボタン、４６…レフトパートオンオフボタン、４８…発音鍵域表示部、１００…電子楽器
【図１】
2013152395.tif 000003
【図２】
2013152395.tif 000004
【図３】
2013152395.tif 000005
【図４】
2013152395.tif 000006
【図５】
2013152395.tif 000007
【図６】
2013152395.tif 000008
【図７】
2013152395.tif 000009
【図８】
2013152395.tif 000010